(57)【要約】【課題】トレイを置くべき場所が容易にわかり、かつ、トレイを安定して置くことができるテーブル及びこれに用いるトレイ提供する。【解決手段】テーブル２０は、テーブル板３０にトレイ載置用凹部４０を形成している。トレイ載置用凹部４０と調理領域４２とがテーブル板３０において前後に並んでいる。トレイ載置用凹部４０は、トレイ１００を載置した場合に、トレイ１００を引出し可能に構成されている。【選択図】図１
2020089470.tif 000002
【特許請求の範囲】
【請求項１】
トレイ載置用凹部が形成されたテーブル板を有する、テーブル。
【請求項２】
前記トレイ載置用凹部は、トレイを載置した場合に、当該トレイを引出し可能に構成されている、請求項１に記載のテーブル。
【請求項３】
前記トレイの引出し方向は、水平方向である、請求項２に記載のテーブル。
【請求項４】
前記トレイ載置用凹部の一部は、前記テーブル板の縁の一部に沿って形成されることで、前記トレイの引出し方向に開放されている、請求項２又は３に記載のテーブル。
【請求項５】
前記トレイ載置用凹部は、金属板によって構成されている、請求項２から４のいずれか一項に記載のテーブル。
【請求項６】
前記トレイ載置用凹部の高さは、トレイを載置した場合に、当該トレイが前記テーブル板の上面を超えない高さに設定されている、請求項１から５のいずれか一項に記載のテーブル。
【請求項７】
前記トレイ載置用凹部の高さは、トレイを載置した場合に、前記テーブル板の上面に隣接する当該トレイの上面が当該テーブル板の上面と面一となる高さに設定されている、請求項１から５のいずれか一項に記載のテーブル。
【請求項８】
前記テーブル板には、食物を調理するために使用される調理領域が設けられており、
前記トレイ載置用凹部と前記調理領域とは、一方向に連続して並んでいる、請求項１から７のいずれか一項に記載のテーブル。
【請求項９】
前記テーブル板には、前記トレイ載置用凹部及び前記調理領域を含む組合せが複数設けられており、
前記複数の組合せは、前記一方向と交差する方向に配列されている、請求項８に記載のテーブル。
【請求項１０】
前記テーブル板には、前記複数の組合せの間に調味料用凹部が形成されている、請求項９に記載のテーブル。
【請求項１１】
前記テーブル板には、調味料用凹部が形成されており、
前記調味料用凹部は、前記トレイ載置用凹部と前記調理領域とが並んでいる方向から外れた位置に形成されている、請求項８又は９に記載のテーブル。
【請求項１２】
前記調理領域には、ロースターが設けられている、請求項８から１１のいずれか一項に記載のテーブル。
【請求項１３】
前記テーブル板は、前記トレイ載置用凹部の下側に、箸、フォーク、スプーン及びナイフの少なくとも１種類を収納するための引出タイプのカトラリー収納部を有している、請求項１から１２のいずれか一項に記載のテーブル。
【請求項１４】
前記テーブル板は、前記カトラリー収納部の下側に、メニューを入れるためのメニュー収納部を有している、請求項１３に記載のテーブル。
【請求項１５】
前記トレイ載置用凹部の底面には、文字、図形及び記号の少なくとも一つを含む表示領域が設けられている、請求項１から１４のいずれか一項に記載のテーブル。
【請求項１６】
請求項１から１５のいずれか一項に記載のテーブルに用いられるトレイであって、
前記トレイ載置用凹部に載置可能に構成されたトレイ。
【発明の詳細な説明】
【技術分野】
【０００１】
本発明は、テーブル及びこれに用いるトレイに関する。
【背景技術】
【０００２】
ファーストフード店やフードコートなどの飲食店では、料理がトレイに載せて提供されることがある。一般的なトレイは浅皿のお盆タイプである。特殊なトレイとして、トレイ底部に食べ物載置用凹部やグラス保持部を形成したものなども知られている（特許文献１参照）。
【先行技術文献】
【特許文献】
【０００３】
【特許文献１】特開２０１３−２３３４０５号公報
【発明の概要】
【発明が解決しようとする課題】
【０００４】
焼肉店など、飲食店によっては、お客が、テーブル上の調理器具を利用して自ら調理することがある。このような飲食店のテーブルでは、卓上スペースが限られていることが多い。このため、店員又はお客からすると、トレイをテーブルのどこに置けばよいかがわかると便利である。また、その際、トレイを安定しておけると便利である。
【０００５】
本発明は、トレイを置くべき場所が容易にわかり、かつ、トレイを安定して置くことができるテーブル及びこれに用いるトレイ提供することを目的とする。
【課題を解決するための手段】
【０００６】
本発明の一態様に係るテーブルは、トレイ載置用凹部が形成されたテーブル板を有するものである。
【０００７】
この態様によれば、トレイを置くための場所があらかじめテーブル板に凹部として形成されているので、トレイをテーブルに置く者が、トレイをテーブルのどこに置くべきかが容易にわかるようになる。また、その場所が凹部となっているため、そこにトレイを入れる又は嵌めることが可能となるため、トレイを安定して置くことができる。
【図面の簡単な説明】
【０００８】
【図１】実施形態に係るテーブルを備えた店舗の内部を示す斜視図である。
【図２】実施形態に係るテーブルのトレイ載置用凹部にトレイを載せていない状態を示す拡大斜視図である。
【図３】実施形態に係るテーブルのトレイ載置用凹部にトレイを途中まで載せた状態を示す拡大斜視図である。
【図４】実施形態に係るテーブルのトレイ載置用凹部にトレイを完全に載せた状態を示す拡大斜視図である。
【図５】図４のトレイに料理を載せた状態の例を示す拡大斜視図である。
【図６】実施形態に係るテーブルの調味料用凹部に調味料を置いた状態の例を示す拡大斜視図である。
【発明を実施するための形態】
【０００９】
添付図面を参照して、本発明の好適な実施形態に係るテーブルについて説明する。本書において、上下、左右及び前後を以下のとおり定義する。お客が椅子に着座した際に、お客が向いている方向を後方、その反対方向を前方と称し座標の軸を示すときは前後方向とする。また、お客が椅子に着座した際に、お客の右側を右方向、お客の左側を左方向と称し座標の軸を示すときは左右方向とする。同様に、お客が椅子に着座した際に、お客の頭部方向を上方、お客の腰部方向を下方と称し座標の軸を示すときは上下方向とする。
【００１０】
図１に示すように、店舗１０には、テーブル２０に沿って複数の椅子２２が並べられている。店舗１０は、例えば、一人一台のロースターを備え付けた焼肉店舗である。
【００１１】
テーブル２０は、左右方向に長く延びるテーブル板３０を有している。テーブル板３０は、例えば、水平に配置された方形の天板である。テーブル板３０には、トレイ載置用凹部４０、調理領域４２、カトラリー収納部４６及びメニュー収納部４８を含む一組の組合せが、複数の椅子２２に対応して、その数だけ設けられている。また、複数組の組合せのそれぞれの間に調味料用凹部４４が設けられている。トレイ載置用凹部４０、調理領域４２及び調味料用凹部４４は、テーブル板３０の上面３１に形成され、カトラリー収納部４６及びメニュー収納部４８は、トレイ載置用凹部４０の下側に形成されている。テーブル３０板の上面３１は、トレイ載置用凹部４０、調理領域４２及び調味料用凹部４４が形成されている部分以外のところでは、平坦面となっている。
【００１２】
図３及び４に示すように、トレイ１００は、食器等を載せるための載置部１０２と、載置部１０２の周囲から立ち上がる周壁部１０４と、を備えている（参照：図４）。トレイ１００の載置部１０２には、例えば、一人前の焼肉セット（ごはん、肉、キムチ、スープ、たれなど）を個々に入れた複数の食器が載せられる（参照：図６）。
【００１３】
図２〜４に示すように、トレイ載置用凹部４０は、トレイ１００を着脱可能に載置するための窪みである。トレイ載置用凹部４０は、平面視、左右方向に長い長方形で形成されており、その長方形の長手方向の一辺５１がテーブル板３０の前縁３０ａの一部に沿って形成されている。したがって、トレイ載置用凹部４０は、この一辺５１に相当する部分が前方に向かって開放されている。この開放部分があることにより、トレイ載置用凹部４０にトレイ１００を載置した場合には、前方に向かってトレイを水平に引き出す又はスライドさせることができるようになっている（参照：図３及び４）。同様に、トレイ載置用凹部４０にトレイ１００を載置する場合には、上記開放部分からトレイ１００をトレイ載置用凹部４０に差し入れ、後方に向かってスライドさせることができる。
【００１４】
トレイ載置用凹部４０は、平坦な底面５４と、底面５４の後部から立ち上がる後壁５５と、底面５４の左右のそれぞれから立ち上がる左壁５６及び右壁５７と、によって区画されている。底面５４の前部が、上記の一辺５１に相当した位置にある。底面５４、後壁５５、左壁５６及び右壁５７には、それぞれ金属板が敷設されている。すなわち、トレイ載置用凹部４０は、金属板によって構成されている。また、底面５４には、文字、図形及び記号の少なくとも一つを含む表示領域５９が設けられている。ここでは、表示領域５９には、四角の枠内に文字が印刷されている。
【００１５】
トレイ載置用凹部４０の寸法は、載置するトレイ１００の寸法を考慮して設定されている。具体的には、トレイ載置用凹部４０の幅及び奥行は、載置するトレイ１００が嵌るように設定されている。また、トレイ載置用凹部４０の高さ（深さ）は、載置するトレイ１００がテーブル板３０の上面３１を超えない高さに設定されている。このような高さ設定とすることで、トレイ載置用凹部４０に載置したトレイ１００が、テーブル板３０から上方に突出しないようにできる。好ましくは、トレイ載置用凹部４０の高さは、トレイ１００を載置した場合に、テーブル板３０の上面３１に隣接するトレイ１００の周壁部１０４の上面１１０が、テーブル板３０の上面３１と面一となる高さに設定されるとよい（参照：図６）。こうすることで、トレイ１００とテーブル板３０との間に段差がなくなる。
【００１６】
調理領域４２は、食物を調理するために使用される領域である。調理領域４２には、例えば、肉類を焼くためのロースター６０が設けられる。調理領域４２は、トレイ載置用凹部４０の後側に設けられている。調理領域４２とトレイ載置用凹部４０とは、わずかなスペース６２を介して、前後方向に連続して並んでいる。
【００１７】
調味料用凹部４４は、図５に示すように、調味料を入れた容器を着脱可能に置くために使用される窪みである。調味料用凹部４４は、ここでは左右方向に３つ並んで形成されているが、１つであってもよい。調味料用凹部４４は、トレイ載置用凹部４０と調理領域４２とが並んでいる前後方向から外れた位置に形成されている。ここでは、調味料用凹部４４の位置は、調理領域４２の左後方側となっている。
【００１８】
カトラリー収納部４６は、図２に示すように、箸、フォーク、スプーン及びナイフの少なくとも１種類を収納するためのものであり、トレイ載置用凹部４０の下側に位置している。カトラリー収納部４６は、引出タイプとしてテーブル板３０の前部に形成されており、テーブル板３０から前方に引き出すことができるようになっている。
【００１９】
メニュー収納部４８は、図２に示すように、メニューを入れるためのものであり、カトラリー収納部４６の下側に位置している。メニュー収納部４８は、棚のタイプとして形成されており、例えばテーブル板３０の下面との間でメニューを前後方向に入れるための空間を画成している。
【００２０】
以上説明した本実施形態のテーブル２０の作用効果について説明する。
まず、本実施形態のテーブル２０は、テーブル板３０にトレイ載置用凹部４０を形成している。こうすることで、トレイ１００を置くための場所があらかじめテーブル板３０に凹部として形成されているので、トレイ１００をテーブル２０に置く人が、テーブル２０のどこにトレイ１００を置くべきかが容易にわかるようになる。また、その場所が凹部となっているため、そこにトレイ１００を入れる又は嵌めることが可能となるため、トレイ１００を安定して置くことができる。さらに、食べ終わった後は、食器をまとめてトレイ１００に載せて片づけることができる。
【００２１】
また、トレイ載置用凹部４０は、トレイ１００を載置した場合に、トレイ１００を引出し可能に構成されている。この構成により、トレイ１００の取り外しが容易となる。とりわけ、トレイ１００の引出し方向が前方であるため、食べ終わって席を立ったお客のところから、トレイ１００を取り外し易くなるなど、トレイ１００の取り扱いが容易となる。また、このような引き出し可能な構成について、トレイ載置用凹部４０の前側の一辺５１をテーブル板３０の前縁３０ａの一部に沿って形成し、トレイ載置用凹部４０の前側の一辺５１を前方に開放させる、という簡易な構造で達成している。また、このような開放部分が前部にあることで、トレイ１００をトレイ載置用凹部４０に入れやすくて、置きやすくなる。
【００２２】
さらに、トレイ載置用凹部４０は、金属板によって構成されている。この構成により、木で構成する場合に比べて、トレイ１００の出し入れの繰り返しによるトレイ載置用凹部４０の損傷を抑制することができる。
【００２３】
また、トレイ載置用凹部４０の底面５４には、表示領域５９が設けられている。これにより、例えば、料理を載せたトレイ１００がテーブル２０に運ばれるまでの間、椅子２２に座ったお客に表示領域５９を通じて店舗１０の宣伝などをすることができる。
【００２４】
加えて、トレイ載置用凹部４０と調理領域４２とがテーブル板３０において前後に並んでいる。こうすることで、トレイ載置用凹部４０に置いたトレイ１００から食材を調理領域４２に簡単な動作で移動させることができるため、お客に調理し易さを体感させることができる。
【００２５】
また、調味料用凹部４４が、トレイ載置用凹部４０及び調理領域４２の並び方向と外れた位置に設けられている。これにより、テーブル板３０のデッドスペースとなりがちなところを有効に利用して調味料用凹部４４を設けることができる。しかも、調味料用凹部４４は、お客一人専用ではなく、隣り合って座る二人のお客の共用となるため、限られたスペースを有効に利用して調味料をテーブル２０に置くことができる。
【００２６】
また、テーブル２０は、複数のお客に一人一台のロースターを提供するが、それぞれのお客専用に、トレイ載置用凹部４０、調理領域４２、カトラリー収納部４６及びメニュー収納部４８を含む一組の組合せを提供している。これにより、限られたスペースを有効に利用して、ロースター６０のほか、箸やメニュー等をお客一人のスペースに置くことができる。このため、お客は他のお客を気にすることなく、自分のペースに合わせて、好きな食べ物を自由に楽しむことができる。
【００２７】
以上説明した実施形態は、本発明の理解を容易にするためのものであり、本発明を限定して解釈するためのものではない。各実施形態が備える各要素並びにその配置、材料、条件、形状及びサイズ等は、例示したものに限定されるわけではなく適宜変更することができる。
【００２８】
例えば、テーブル板３０は、方形の天板に限らず、半円形や円形など、他の形状の天板であってもよい。同様に、トレイ載置用凹部４０は、平面視長方形以外の形状であってもよいが、トレイ１００を引き出せる正方形や半円形の平面視形状であってもよい。また、トレイ１００の引出し方向は、水平方向であれば前方以外の方向であってもよいが、お客との関係を考慮すると、前方であることが好ましい。
【００２９】
また、トレイ載置用凹部４０は、金属板ではなく、プラスチック板によって構成されてもよい。
【００３０】
調理領域４２には、ロースター６０以外の調理器具が設けられてもよい。例えば、鍋やコンロが設けられてもよい。
【符号の説明】
【００３１】
１０…店舗、２０…テーブル、２２…椅子、３０…テーブル板、３０ａ…前縁、３１…上面、４０…トレイ載置用凹部、４１…スタッドボルト、４２…調理領域、４４…調味料用凹部、４６…カトラリー収納部、４８…メニュー収納部、５１…一辺、５４…底面、５５…後壁、５６…左壁、５７…右壁、５９…表示領域、６２…スペース、１００…トレイ、１０２…載置部、１０４…周壁部、１１０…上面
【図１】
2020089470.tif 000003
【図２】
2020089470.tif 000004
【図３】
2020089470.tif 000005
【図４】
2020089470.tif 000006
【図５】
2020089470.tif 000007
【図６】
2020089470.tif 000008